(57)【要約】      （修正有）【課題】額縁本体に収納した別異な複数枚の枚葉観賞品を、表裏両側から透視・観賞できるようにする。【解決手段】長方形な輪郭形状の額縁本体（Ｆ）が各々透視窓（１８）（１９）を有する表板（１１）並びに裏板（１２）と、その表裏相互間に介在する仕切りベース板（１３）との合計３層から成り、上記表裏両板（１１）（１２）と仕切りベース板（１３）とを、その隣り合う相互間に絵画や写真、色紙、賞状、証書などの各種枚葉観賞品用収納スペース（１４）（１５）が画定される縁取り状態に接合一体化し、その表裏一対の収納スペース（１４）（１５）に対する共通又は各別の枚葉観賞品抜き差し用スリットを、上記額縁本体（Ｆ）の上辺又は／及び片サイド辺に開口形成した。【選択図】図７
2008194338.tif 000002
【特許請求の範囲】
【請求項１】
長方形な輪郭形状の額縁本体（Ｆ）が各々透視窓（１８）（１９）を有する表板（１１）並びに裏板（１２）と、その表裏相互間に介在する仕切りベース板（１３）との合計３層から成り、
上記表裏両板（１１）（１２）と仕切りベース板（１３）とを、その隣り合う相互間に絵画や写真、色紙、賞状、証書などの各種枚葉観賞品用収納スペース（１４）（１５）が画定される縁取り状態に接合一体化し、
その表裏一対の収納スペース（１４）（１５）に対する共通又は各別の枚葉観賞品抜き差し用スリット（１６）（１７）を、上記額縁本体（Ｆ）の上辺又は／及び片サイド辺に開口形成したことを特徴とする表裏反転使用可能な額縁。
【請求項２】
額縁本体（Ｆ）における表板（１１）の上辺に沿ってのれん風の枚葉観賞品受け止め用トップ装飾板片（２１）を、同じく表板（１１）の下辺と両サイド辺との角隅部に枚葉観賞品受け止め用コーナー装飾板片（２２）（２２）を、各々表側から縁取り状態に貼り付け一体化して、
そのトップ装飾板片（２１）と両コーナー装飾板片（２２）（２２）により区画された内部へ、表側から枚葉観賞品（Ｍ３）を抜き差し自在に差し込み係止させるように定めたことを特徴とする請求項１記載の表裏反転使用可能な額縁。
【請求項３】
額縁本体（Ｆ）における表板（１１）の両サイド辺に沿ってカーテン風の枚葉観賞品受け止め用サイド装飾板片（２９）（２９）を、各々表側から縁取り状態に貼り付け一体化して、
その両サイド装飾板片（２９）（２９）により区画された内部へ、表側から枚葉観賞品（Ｍ３）を抜き差し自在に差し込み係止させるように定めたことを特徴とする請求項１記載の表裏反転使用可能な額縁。
【請求項４】
額縁本体（Ｆ）における裏板（１２）の４角隅部へ枚葉観賞品受け止め用コーナー装飾板片（２３）（２３）（２３）（２３）を、各々裏側から縁取り状態に貼り付け一体化して、
そのコーナー装飾板片（２３）（２３）（２３）（２３）により区画された内部へ、裏側から枚葉観賞品（Ｍ４）を抜き差し自在に差し込み係止させるように定めたことを特徴とする請求項１記載の表裏反転使用可能な額縁。
【請求項５】
額縁本体（Ｆ）における表板（１１）の透視窓（１８）と裏板（１２）の透視窓（１９）に、その大きさ、形状又は／及び配置の相違変化を与えたことを特徴とする請求項１記載の表裏反転使用可能な額縁。
【請求項６】
額縁本体（Ｆ）における表板（１１）の透視窓（１８）と裏板（１２）の透視窓（１９）とを互いにほぼ同じ大きさ及び形状として、その表裏両板（１１）（１２）の偏心位置に各々開口形成したことを特徴とする請求項１記載の表裏反転使用可能な額縁。
【請求項７】
額縁本体（Ｆ）における表裏両板（１１）（１２）の透視窓（１８）（１９）と連通する連通窓（２８）を、その額縁本体（Ｆ）の仕切りベース板（１３）に開口形成したことを特徴とする請求項１記載の表裏反転使用可能な額縁。
【請求項８】
縞模様や花模様、幾何学模様などの各種着色図柄模様が施された織物や紙、皮革、その他の額縁本体（Ｆ）と異なる軟質材料から成る装飾地膜（２０）を、その額縁本体（Ｆ）における表板（１１）の表側のみか又は表裏両側へ被着一体化したことを特徴とする請求項１記載の表裏反転使用可能な額縁。
【請求項９】
額縁本体（Ｆ）における任意の１辺へ、壁掛け用の吊り型枠（２５）を着脱自在に被着させたことを特徴とする請求項１記載の表裏反転使用可能な額縁。
【請求項１０】
額縁本体（Ｆ）における任意の１辺へ、据え立て用の受け台（２４）を着脱自在に被着させたことを特徴とする請求項１記載の表裏反転使用可能な額縁。
【発明の詳細な説明】
【技術分野】
【０００１】
本発明は別異な複数枚の絵画や写真、色紙、賞状、証書などの各種枚葉観賞品を収納でき、これを臨機応変に取捨選択して観賞するための表裏反転使用可能な額縁に関する。
【背景技術】
【０００２】
一般に、この種の枚葉観賞品を収納する額縁は、建物の壁面に吊り掛け使用されるようになっており、その吊り掛け使用のみならず、下記特許文献に見られるような卓上へ据え立て使用できるスタンド付きの額縁であっても、その裏面が枚葉観賞品の透視不能として施蓋されていることに変りはない。
【特許文献１】実用新案登録第３０７５１７７号公報
【特許文献２】特開２００２−２１９０３７号公報
【特許文献３】特開平１１−５９０１８号公報
【特許文献４】特開平１０−３３３３５号公報
【発明の開示】
【発明が解決しようとする課題】
【０００３】
つまり、従来の額縁は枚葉観賞品用収納スペースの１個を具備しているに過ぎず、その内部に収納された枚葉観賞品の１枚を、表側からだけ透視できるようになっている通例である。
【０００４】
そのため、枚葉観賞品を好みに応じて、別異なそれと交換したい場合、その収納スペースに対して一々抜き差し操作しなければならず、甚だ煩らわしい結果、往々にして同一の枚葉観賞品を何時までも透視する使用状態に放置されてしまうのであり、一般家庭ではとにかく、例えば喫茶店や洋品店、美容院などの営業店舗では、そのインテリヤ効果を容易に変更することができない。
【０００５】
又、透視窓は額縁の輪郭形状とほぼ相似な長方形として、その額縁の中央位置に１個だけ大きく開口形成されているにとどまるため、大きさや形状の相違する各種枚葉観賞品を取捨選択的に収納したり、その配置を変えたりすることができず、額縁としての興趣変化や利便性に劣る。
【０００６】
更に、従来の額縁は木質材や軽金属材などの材質如何を問わず、その材質の地肌をそのまま表出しているに過ぎないため、これに収納される枚葉観賞品との意匠的な相関々係上、額縁の表面を言わば枚葉観賞品の背景又は地模様として、その枚葉観賞品を浮き出し状態に強調したり、或いは逆な沈み込み状態に調和させたりすることができず、その意味からも興趣変化に乏しい。
【課題を解決するための手段】
【０００７】
本発明はこのような諸問題の改良を目的としており、そのための表裏反転使用可能な額縁として、請求項１では長方形な輪郭形状の額縁本体が各々透視窓を有する表板並びに裏板と、その表裏相互間に介在する仕切りベース板との合計３層から成り、
【０００８】
上記表裏両板と仕切りベース板とを、その隣り合う相互間に絵画や写真、色紙、賞状、証書などの各種枚葉観賞品用収納スペースが画定される縁取り状態に接合一体化し、
【０００９】
その表裏一対の収納スペースに対する共通又は各別の枚葉観賞品抜き差し用スリットを、上記額縁本体の上辺又は／及び片サイド辺に開口形成したことを特徴とする。
【００１０】
又、請求項２では額縁本体における表板の上辺に沿ってのれん風の枚葉観賞品受け止め用トップ装飾板片を、同じく表板の下辺と両サイド辺との角隅部に枚葉観賞品受け止め用コーナー装飾板片を、各々表側から縁取り状態に貼り付け一体化して、
【００１１】
そのトップ装飾板片と両コーナー装飾板片により区画された内部へ、表側から枚葉観賞品を抜き差し自在に差し込み係止させるように定めたことを特徴とする。
【００１２】
請求項３では、額縁本体における表板の両サイド辺に沿ってカーテン風の枚葉観賞品受け止め用サイド装飾板片を、各々表側から縁取り状態に貼り付け一体化して、
【００１３】
その両サイド装飾板片により区画された内部へ、表側から枚葉観賞品を抜き差し自在に差し込み係止させるように定めたことを特徴とする。
【００１４】
請求項４では、額縁本体における裏板の４角隅部へ枚葉観賞品受け止め用コーナー装飾板片を、各々裏側から縁取り状態に貼り付け一体化して、
【００１５】
そのコーナー装飾板片により区画された内部へ、裏側から枚葉観賞品を抜き差し自在に差し込み係止させるように定めたことを特徴とする。
【００１６】
請求項５では、額縁本体における表板の透視窓と裏板の透視窓に、その大きさ、形状又は／及び配置の相違変化を与えたことを特徴とする。
【００１７】
請求項６では、額縁本体における表板の透視窓と裏板の透視窓とを互いにほぼ同じ大きさ及び形状として、その表裏両板の偏心位置に各々開口形成したことを特徴とする。
【００１８】
請求項７では、額縁本体における表裏両板の透視窓と連通する連通窓を、その額縁本体の仕切りベース板に開口形成したことを特徴とする。
【００１９】
請求項８では、縞模様や花模様、幾何学模様などの各種着色図柄模様が施された織物や紙、皮革、その他の額縁本体と異なる軟質材料から成る装飾地膜を、その額縁本体における表板の表側のみか又は表裏両側へ被着一体化したことを特徴とする。
【００２０】
請求項９では、額縁本体における任意の１辺へ、壁掛け用の吊り型枠を着脱自在に被着させたことを特徴とする。
【００２１】
更に、請求項１０では額縁本体における任意の１辺へ、据え立て用の受け台を着脱自在に被着させたことを特徴とする。
【発明の効果】
【００２２】
請求項１の上記構成によれば、額縁本体の表裏両板と仕切りベース板との隣り合う相互間に画定された表裏一対の枚葉観賞品用収納スペース内へ、その額縁本体の上辺又は／及び片サイド辺に開口する枚葉観賞品抜き差し用スリットから、絵画（その複製印刷物も含む。）や写真、色紙、賞状、証書などの各種枚葉観賞品を円滑に抜き差し操作することができ、その収納スペース内へ差し込み収納された別異な第１、２枚葉観賞品を上記額縁本体の表裏反転使用により、表板の透視窓と裏板の透視窓から透視・観賞し得るため、上記枚葉観賞品を一々差し替え操作する煩らわしさがなく、屋内のインテリア効果を簡便に変更できることとなり、特に喫茶店や洋品店、美容院などの各種営業店舗向けの額縁として著しく優れる。
【００２３】
又、請求項２や請求項３の構成を採用するならば、上記第１、２枚葉観賞品と別異の大きな第３枚葉観賞品を、その額縁本体への言わば表当て付属状態として差し込み係止させることができ、各種枚葉観賞品の取捨選択性が広がるほか、のれん風のトップ装飾板片やカーテン風の両サイド装飾板片により、額縁本体の表面に興趣変化を与える得る効果もある。
【００２４】
更に、請求項４の構成を採用するならば、上記第３枚葉観賞品と別異な第４枚葉観賞品を、同じく額縁本体へ言わば裏当て付属状態に差し込み係止させることもでき、各種枚葉観賞品の上記取捨選択性がますます広がり、使用上の利便性が向上する。
【００２５】
請求項５や請求項６の構成を採用するならば、表裏両板に開口された透視窓の相違する大きさ、形状又は／及び配置により、その額縁本体に興趣変化を与えることができ、化粧効果の向上に役立つ。
【００２６】
請求項７の構成を採用するならば、各種枚葉観賞品自身の表裏両面に絵画や詩歌などが施されている場合、これを裏側からでも、仕切りベース板の連通窓を経て透視・観賞することができ、著しく便利である。
【００２７】
特に、請求項８の構成を採用するならば、その各種着色図柄模様が施された装飾地膜によって、額縁本体の表面に裏面と異なる柔らか味のある性状を付与することができるほか、その着色図柄模様を背景又は地模様として、表側枚葉観賞品用収納スペース内に収納された第１枚葉観賞品を、浮き出し状態又は沈み込み状態に強調し得るのであり、興趣変化に富む独特の額縁となる。
【００２８】
そして、このような効果の達成には上記請求項５や請求項６の構成も有機的に働くこととなり、その意味からも各種営業店舗用としてふさわしい額縁を得られるのである。
【００２９】
請求項９や請求項１０の構成を採用するならば、その長方形な額縁本体を縦長又は横長の使用状態として、卓上へ安定良く据え立てたり、屋内の壁面に吊り掛けたりすることができ、その使用を支障なく行なえる。
【発明を実施するための最良の形態】
【００３０】
以下、図面に基いて本発明の具体的構成を詳述すると、先ず図１〜１２はその表裏反転使用可能な額縁の第１実施形態を示しており、（Ｆ）は厚紙（段ボール紙）や経木、木質化粧合板、合成樹脂、軽金属、その他の比較的に軽く硬質な材料から、例えば長辺：約３３０mm×短辺：約２４０mmの長方形な輪郭形状に製作された額縁本体であって、縦長の状態として使用されるようになっている。
【００３１】
このような額縁本体（Ｆ）の構造は表板（１１）並びに裏板（１２）と、その表裏相互間に介在する仕切りベース板（１３）との合計３層から成り、その長方形の４辺が一定の帯幅分だけ縁取り積層状態に接合一体化されることによって、表裏両板（１１）（１２）と仕切りベース板（１３）との隣り合う相互間に、絵画（その複製印刷物を含む。）や写真、色紙、賞状、証書などの各種枚葉観賞品（Ｍ１）（Ｍ２）を収納し得る表裏一対の第１、２枚葉観賞品用収納スペース（１４）（１５）が画定されている。
【００３２】
但し、その第１、２枚葉観賞品（Ｍ１）（Ｍ２）の収納スペース（１４）（１５）に対する枚葉観賞品抜き差し用スリット（１６）（１７）が、上記額縁本体（Ｆ）の片サイド辺（片側長辺）に開口形成されており、ここから別異な第１、２枚葉観賞品（Ｍ１）（Ｍ２）の２枚をその対応的な収納スペース（１４）（１５）の内部へ、各々円滑に抜き差し操作することができるようになっている。
【００３３】
上記表裏一対の第１、２枚葉観賞品用収納スペース（１４）（１５）は、その互いにほぼ同じ大きさ及び配置として画定してもさしつかえないが、その何れか一方（図示の実施形態では表側枚葉観賞品用収納スペース）を額縁本体（Ｆ）の偏心位置へ小さく、残る他方（同じく裏側枚葉観賞品用収納スペース）を額縁本体（Ｆ）の中央位置へ大きく、その大きさと配置に相違変化を与えることが好ましい。
【００３４】
上記額縁本体（Ｆ）を形作る表裏両板（１１）（１２）と仕切りベース板（１３）との接合手段として、図示の実施形態では接着手段を用いているが、その額縁本体（Ｆ）の製作材料を考慮して、接着手段に代る皿ビスなどの固定具やスポット溶接、縁取り化粧型枠による挟み付け、その他の手段を採用することができる。
【００３５】
その際、額縁本体（Ｆ）が枚葉観賞品抜き差し用スリット（１６）（１７）を有する限りでは、その長方形な表板（１１）、裏板（１２）又は／及び仕切りベース板（１３）の周縁部を折り返し重合状態に厚肉化したり、同じく周縁部を断面Ｌ字型に造形したり、或いは表裏両板（１１）（１２）と仕切りベース板（１３）との隣り合う相互間へ、別個なスペーサー（図示省略）を縁取り状態に介挿させたりして、上記第１、２枚葉観賞品（Ｍ１）（Ｍ２）の収納スペース（１４）（１５）を広く確保しても良い。
【００３６】
又、図示の実施形態では上記額縁本体（Ｆ）の枚葉観賞品抜き差し用スリット（１６）（１７）を、第１、２枚葉観賞品用収納スペース（１４）（１５）と対応する表裏一対として、各別の並列状態に開口させているが、その表裏一対の第１、２枚葉観賞品用収納スペース（１４）（１５）に共通する広大な１個の枚葉観賞品抜き差し用スリットを開口形成してもさしつかえない。仕切りベース板（１３）により分離されるからである。
【００３７】
（１８）（１９）は上記額縁本体（Ｆ）の表裏両板（１１）（１２）に各々切り抜かれた透視窓であって、その表側枚葉観賞品用収納スペース（１４）の内部に収納された第１枚葉観賞品（Ｍ１）を表板（１１）の透視窓（１８）から、又は裏側枚葉観賞品用収納スペース（１５）の内部に収納された別異な第２枚葉観賞品（Ｍ２）を裏板（１２）の透視窓（１９）から、各々透視・観賞することができるようになっており、その額縁本体（Ｆ）の表裏反転使用可能である。
【００３８】
その場合、表板（１１）の透視窓（１８）と裏板（１２）の透視窓（１９）とは、その大きさ、形状又は／及び配置を互いにほぼ同じとして開口形成してもさしつかえないが、特にその何れか一方（図示の実施形態では表板の透視窓）を長方形な額縁本体（Ｆ）の偏心位置へ、比較的小さな長方形（例えば約１３０mm×約９０mm）として開口させ、残る他方（同じく裏板の透視窓）を上記額縁本体（Ｆ）の中央位置へ、比較的大きなほぼ相似の長方形（例えば約２３０mm×約１７０mm）として開口させることにより、その大きさ又は／及び配置の相違変化を与えることが好ましい。
【００３９】
その小さい方の透視窓（１８）を上記長方形に限らず、例えば菱形や正方形、円形、楕円形、その他の開口形状に切り抜いて、その開口形状を大きい方の透視窓（１９）と相違変化させても良い。尚、このような小さい方の透視窓（１８）は額縁本体（Ｆ）の枚葉観賞品抜き差し用スリット（１６）（１７）と接近するように、その片サイド辺へ偏心して配置させるのである。
【００４０】
そうすれば、表裏両板（１１）（１２）に各々切り抜かれた透視窓（１８）（１９）の相違する大きさ、形状又は／及び配置により、別異な２枚の第１、２枚葉観賞品（Ｍ１）（Ｍ２）をその対応する収納スペース（１４）（１５）へ、円滑に便利良く抜き差し操作することができると共に、その差し込み収納された額縁本体（Ｆ）の外観体裁上、独特の興趣変化が与えられる結果となる。
【００４１】
又、額縁本体（Ｆ）の表板（１１）や裏板（１２）からは、その厚紙や経木、化粧合板などから成る硬質材料の地肌を、そのまま表出させるにとどめてもさしつかえないが、特に縞模様や花模様、幾何学模様などの各種着色図柄模様が予じめ施された装飾地膜（２０）を、上記額縁本体（Ｆ）における表板（１１）の表側のみか、又は図３、４のように表板（１１）の表裏両側へ包み込む如く、接着剤などによって被着一体化することが望ましい。そのための装飾地膜（２０）としては、例えば地域特産品の織物（布地）や壁紙、皮革、合成樹脂シート、その他の額縁本体（Ｆ）と異なる軟質の材料を採用する。
【００４２】
そうすれば、額縁本体（Ｆ）の表板（１１）に裏板（１２）と相違する化粧を与えることができるほか、そのための装飾地膜（２０）に施された各種着色図柄模様が、表板（１１）の透視窓（１８）を通じて透視・観賞される第１枚葉観賞品（Ｍ１）の背景（地模様）又は縁取り模様となって、その枚葉観賞品（Ｍ１）を浮き出し状態又は沈み込み状態に強調し得るのであり、上記額縁本体（Ｆ）の興趣変化に富む装飾効果と、延いては屋内と調和したインテリア効果の向上に役立つ。
【００４３】
更に、（２１）は上記額縁本体（Ｆ）を形作る表板（１１）の上辺（短辺）に沿って、その表側から縁取り庇状態に貼り付け一体化された枚葉観賞品受け止め用トップ装飾板片であり、額縁本体（Ｆ）と同種の硬質な材料からのれん風に造形されている。
【００４４】
（２２）（２２）は同じく表板（１１）の下辺（短辺）と両サイド辺（長辺）との角隅部へ、やはり表側から縁取り状態に各々貼り付け一体化された一対の枚葉観賞品受け止め用コーナー装飾板片であり、これらも上記額縁本体（Ｆ）と同種の硬質材料からほぼ直角三角形や扇形、タスキ掛け状態のテープ形などに造形されている。
【００４５】
そして、このようなトップ装飾板片（２１）と両コーナー装飾板片（２２）（２２）により画定された囲い内部へ、上記第１、２枚葉観賞品（Ｍ１）（Ｍ２）よりも大きい別異な第３枚葉観賞品（Ｍ３）の対応する上辺と下辺の両角隅部を、表側から抜き差し自在に差し込み係止させることにより、その第３枚葉観賞品（Ｍ３）を上記額縁本体（Ｆ）へ言わば表当て付属状態に収納することもできるようになっている。
【００４６】
他方、（２３）（２３）（２３）（２３）は同じく額縁本体（Ｆ）における裏板（１２）の４角隅部へ、裏側から縁取り状態に各々貼り付け一体化された枚葉観賞品受け止め用コーナー装飾板片であり、その合計４個も上記額縁本体（Ｆ）と同種の硬質材料からほぼ直角三角形や扇形などに造形されている。
【００４７】
そして、このような合計４個のコーナー装飾板片（２３）（２３）（２３）（２３）によって区画された囲い内部へ、上記第３枚葉観賞品（Ｍ３）と別異の大きな第４枚葉観賞品（Ｍ４）の対応する４角隅部を、裏側から抜き差し自在に差し込み係止させることより、その第４枚葉観賞品（Ｍ４）を上記額縁本体（Ｆ）への言わば裏当て付属状態として、やはり収納することもできるようになっている。
【００４８】
茲に、第３枚葉観賞品（Ｍ３）を額縁本体（Ｆ）への表当て付属状態として差し込み係止させると、上記表側枚葉観賞品用収納スペース（１４）内に収納された第１枚葉観賞品（Ｍ１）は、その表側から施蓋されてしまうこととなり、又第４枚葉観賞品（Ｍ４）を同じく額縁本体（Ｆ）への裏当て付属状態に差し込み係止させれば、上記裏側枚葉観賞品用収納スペース（１５）内に収納さた第２枚葉観賞品（Ｍ２）は、その裏側から施蓋されてしまう結果となるが、このような使用法も採択できる意味であり、要するに第１〜４枚葉観賞品（Ｍ１）（Ｍ２）（Ｍ３）（Ｍ４）を取捨選択して、額縁本体（Ｆ）へ収納すると共にこれを表裏反転使用するだけで、その枚葉観賞品（Ｍ１）〜（Ｍ４）を表裏両側から透視・観賞し得るようになっている。
【００４９】
何れにしても、上記構成を備えた額縁本体（Ｆ）は図５〜１１のように、その下辺（短辺）へ額縁本体（Ｆ）と同種の硬質な材料から成る受け台（２４）を挟み付ける如く、着脱自在に被着一体化させることにより、卓上へ安定良く据え立て使用することができる。
【００５０】
この点、図５〜１１は縦長での据え立て使用状態を示しているが、その額縁本体（Ｆ）の長辺を下辺として、ここへ上記受け台（２４）を挟み付け固定することにより、横長での据え立て使用状態に保てることは、言うまでもない。
【００５１】
又、上記据え立て用受け台（２４）に代えて、やはり軽金属や木質化粧板などの硬質な材料から成る壁掛け用吊り型枠（２５）を図１２のように、額縁本体（Ｆ）の上辺となる短辺又は長辺へ挟み付ける如く、着脱自在に被着一体化させることにより、その額縁本体（Ｆ）を縦長又は横長での使用状態として、屋内の壁面へ吊り掛けることも可能である。（２６）はその吊り掛け用の索条、（２７）は同じくフック金具を示している。
【００５２】
次に、図１３〜２２は本発明に係る表裏反転使用可能な額縁の第２実施形態を示しており、その構成上額縁本体（Ｆ）における表裏一対の第１、２枚葉観賞品用収納スペース（１４）（１５）を、図１５、１６のような互いにほぼ同じ大きさとして、しかも小さく画定している。
【００５３】
そして、その表板（１１）の透視窓（１８）と裏板（１２）の透視窓（１９）とを、上記枚葉観賞品用収納スペース（１４）（１５）と対応する互いにほぼ同じ大きさの長方形として、額縁本体（Ｆ）の枚葉観賞品抜き差し用スリット（１６）（１７）と接近する偏心位置へ、各々切り抜いているほか、その表裏両板（１１）（１２）の透視窓（１８）（１９）とほぼ対応合致する大きさの連通窓（２８）を、上記額縁本体（Ｆ）の仕切りベース板（１３）に開口形成してもいる。
【００５４】
そのため、比較的小さな別異の第１、２枚葉観賞品（Ｍ１）（Ｍ２）を、その収納スペース（１４）（１５）へ円滑に正しく差し込み収納することができ、又その第１、２枚葉観賞品（Ｍ１）（Ｍ２）自身の表裏両面に絵画や短歌などが印刷されている場合に、仕切りベース板（１３）に開口する連通窓（２８）を通じて、その裏側からも支障なく透視・観賞できる利点がある。
【００５５】
尚、第２実施形態におけるその他の構成と使用法は、上記第１実施形態と実質的に同一であるため、その図１３〜２２に図１〜１２との対応符号を記入するにとどめて、その詳細な説明を省略する。
【００５６】
更に、図２３〜３２は本発明に係る表裏反転使用可能な額縁の第３実施形態を示しており、これでは額縁本体（Ｆ）が横長の状態として使用されるようになっている。
【００５７】
そして、上記第１、２実施形態におけるのれん風の枚葉観賞品受け止め用トップ装飾板片（２１）に代るカーテン風の枚葉観賞品受け止め用サイド装飾板片（２９）（２９）が、その額縁本体（Ｆ）を形作る表板（１１）の両サイド辺（短辺）に沿う一対として、表側から縁取り状態に各々貼り付け一体化されている。このような両サイド装飾板片（２９）（２９）も上記トップ装飾板片（２１）と同じ硬質な材料からカーテン風に造形されている。
【００５８】
そのため、両サイド装飾板片（２９）（２９）により区画された囲い内部へ、やはり表側から大きな第３枚葉観賞品（Ｍ３）の両サイドを抜き差し自在に差し込み係止させることによって、その第３枚葉観賞品（Ｍ３）を額縁本体（Ｆ）へ言わば表当て付属状態に収納することができる。
【００５９】
又、茲に第３実施形態の構成でも上記第１実施形態と同じく、その表側枚葉観賞品用収納スペース（１４）が額縁本体（Ｆ）の偏心位置へ、比較的小さく画定されており、これよりも大きな裏側枚葉観賞品用収納スペース（１５）が、その額縁本体（Ｆ）の中央位置に画定されている。
【００６０】
但し、上記第１実施形態の構成と異なって、その小さな表側枚葉観賞品用収納スペース（１４）に対する第１枚葉観賞品抜き差し用スリット（１６）が、額縁本体（Ｆ）の片サイド辺（短辺）に切り抜かれている一方、大きな裏側枚葉観賞品用収納スペース（１５）に対する第２枚葉観賞品抜き差し用スリット（１７）は、同じく額縁本体（Ｆ）の上辺（長辺）に切り抜かれている。
【００６１】
つまり、第１、２枚葉観賞品用収納スペース（１４）（１５）の表裏一対と対応する枚葉観賞品抜き差し用スリット（１６）（１７）は、額縁本体（Ｆ）の同じ１辺へ並列状態として切り抜く以外に、その額縁本体（Ｆ）の異なる２辺に分けて、各別に切り抜いても良い趣旨である。
【００６２】
尚、第３実施形態におけるその他の構成と使用法は、上記第１実施形態と実質的に同一であるため、その図２３〜３２に図１〜１２との対応符号を記入するにとどめて、その詳細な説明を割愛するが、第３実施形態の額縁本体（Ｆ）を形作る仕切りベース板（１３）にも、表裏両板（１１）（１２）の透視窓（１８）（１９）と連通する連通窓（２８）が開口形成されている。
【００６３】
上記第１〜３実施形態の何れにあっても、その額縁本体（Ｆ）には別異な第１〜４枚葉観賞品（Ｍ１）〜（Ｍ４）の合計４枚を、取捨選択的に差し込み収納することができ、これらを一々差し替え操作しなくても、額縁本体（Ｆ）を表裏反転使用するだけで、その枚葉観賞品（Ｍ１）〜（Ｍ４）を透視・観賞し得るため、一般家庭では勿論のこと、特に喫茶店や洋品店、美容院、その他の営業店舗におけるインテリア効果の速やかな変更に役立ち、使用上の利便性も向上する。
【図面の簡単な説明】
【００６４】
【図１】本発明に係る表裏反転使用可能な額縁の第１実施形態を示す斜面図である。
【図２】図１の裏側から見た斜面図である。
【図３】図１の３−３線に沿う断面図である。
【図４】図１の４−４線に沿う断面図である。
【図５】額縁と受け台との分解状態を示す斜面図である。
【図６】額縁の据え立て使用状態を示す斜面図である。
【図７】図６の７−７線に沿う断面図である。
【図８】図６の８−８線に沿う断面図である。
【図９】図６の裏側から見た斜面図である。
【図１０】第１枚葉観賞品の透視状態を示す図６に対応する斜面図である。
【図１１】図１０の１１−１１線に沿う断面図である。
【図１２】額縁の吊り掛け使用状態を示す斜面図である。
【図１３】本発明に係る表裏反転使用可能な額縁の第２実施形態を示す図１に対応する斜面図である。
【図１４】図１３の裏側から見た斜面図である。
【図１５】図１３の１５−１５線に沿う断面図である。
【図１６】図１３の１６−１６線に沿う断面図である。
【図１７】図１３の据え立て使用状態を示す図７に対応する断面図である。
【図１８】同じく据え立て使用状態を示す図８に対応する断面図である。
【図１９】第１枚葉観賞品の透視状態を示す図１０に対応する斜面図である。
【図２０】図１９の２０−２０線に沿う断面図である。
【図２１】第３枚葉観賞品の透視状態を示す図１９に対応する斜面図である。
【図２２】横長での据え立て使用状態を裏側から見た図２１に対応する斜面図である。
【図２３】本発明に係る表裏反転使用可能な額縁の第３実施形態を示す図１に対応する斜面図である。
【図２４】図２３の裏側から見た斜面図である。
【図２５】図２３の２５−２５線に沿う断面図である。
【図２６】図２３の２６−２６線に沿う断面図である。
【図２７】図２３に枚葉観賞品を差し込み収納した状態の正面図である。
【図２８】図２７の２８−２８線に沿う断面図である。
【図２９】図２７の２９−２９線に沿う断面図である。
【図３０】第１枚葉観賞品の透視状態を示す図２７に対応する正面図である。
【図３１】第４枚葉観賞品の透視状態を示す図３０の背面図である。
【図３２】第２枚葉観賞品の透視状態を示す図３０の背面図である。
【符号の説明】
【００６５】
（１１）・表板
（１２）・裏板
（１３）・仕切りベース板
（１４）（１５）・収納スペース
（１６）（１７）・スリット
（１８）（１９）・透視窓
（２０）・装飾地膜
（２１）・トップ装飾板片
（２２）（２３）・コーナー装飾板片
（２４）・据え立て用受け台
（２５）・壁掛け用吊り型枠
（２６）・索条
（２７）・フック金具
（２８）・連通窓
（２９）・サイド装飾板片
（Ｆ）・額縁本体
（Ｍ１）（Ｍ２）（Ｍ３）（Ｍ４）・枚葉観賞品
【図１】
2008194338.tif 000003
【図２】
2008194338.tif 000004
【図３】
2008194338.tif 000005
【図４】
2008194338.tif 000006
【図５】
2008194338.tif 000007
【図６】
2008194338.tif 000008
【図７】
2008194338.tif 000009
【図８】
2008194338.tif 000010
【図９】
2008194338.tif 000011
【図１０】
2008194338.tif 000012
【図１１】
2008194338.tif 000013
【図１２】
2008194338.tif 000014
【図１３】
2008194338.tif 000015
【図１４】
2008194338.tif 000016
【図１５】
2008194338.tif 000017
【図１６】
2008194338.tif 000018
【図１７】
2008194338.tif 000019
【図１８】
2008194338.tif 000020
【図１９】
2008194338.tif 000021
【図２０】
2008194338.tif 000022
【図２１】
2008194338.tif 000023
【図２２】
2008194338.tif 000024
【図２３】
2008194338.tif 000025
【図２４】
2008194338.tif 000026
【図２５】
2008194338.tif 000027
【図２６】
2008194338.tif 000028
【図２７】
2008194338.tif 000029
【図２８】
2008194338.tif 000030
【図２９】
2008194338.tif 000031
【図３０】
2008194338.tif 000032
【図３１】
2008194338.tif 000033
【図３２】
2008194338.tif 000034